(57)【要約】【課題】投写中に投写口５上の異物により投写口５近傍の温度が上昇したときに、異物を除去し、筐体内部の温度が上昇することを防止できるプロジェクターを提供する。【解決手段】プロジェクター１は、投写口５と、投写口に隣接して備えられたファン吹出口と、回転することで筐体２内部を冷却、およびファン吹出口６より筐体２の上方に向けて送風する排気ファン７と、投写口５近傍の温度を検出する温度検出手段２６と、温度検出手段２６の検出結果に基づき、投写口５近傍の温度が所定の温度より高いことを検出した場合に排気ファン７を回転させて、ファン吹出口６より筐体２の上方に向けて送風する制御手段２０と、を備える。【選択図】図４
2013148694.tif 000002
【特許請求の範囲】
【請求項１】
光源から射出された光を画像情報に応じて変調し、投写光を投写する画像投写手段と、これらを収納する筐体を有するプロジェクターであって、
前記筐体の上面に備えられ前記投写光を投写する投写口と、
前記投写口に隣接して備えられたファン吹出口と、
回転することで、前記筐体の内部を冷却、および前記ファン吹出口より前記筐体の上方に向けて送風するファンと、
前記投写口近傍の温度を検出する温度検出手段と、
前記温度検出手段の検出結果に基づき、前記ファンを回転させて、前記ファン吹出口より前記筐体の上方に向けて送風する制御手段と、
を備えたことを特徴とする、プロジェクター。
【請求項２】
請求項１に記載のプロジェクターであって、前記制御手段は、前記温度検出手段の検出結果に基づき、前記光源の消灯または点灯を行う、ことを特徴とする、プロジェクター。
【請求項３】
請求項１または２に記載のプロジェクターであって、前記制御手段は、前記温度検出手段の検出結果に基づき、前記投写口近傍の温度が所定の温度より高くなったことを検出した場合に、前記光源を消灯するとともに、前記ファンをより高い回転数で回転させ、前記ファン吹出口より前記筐体の上方に向けて送風する、ことを特徴とする、プロジェクター。
【請求項４】
請求項２に記載のプロジェクターであって、前記制御手段は、前記温度検出手段の検出結果に基づき、前記投写口近傍の温度が所定の温度以下であることを検出した場合に、前記光源を点灯する、ことを特徴とする、プロジェクター。
【請求項５】
請求項１から４のいずれか一項に記載のプロジェクターであって、前記温度検出手段の検出結果に基づき、前記投写口近傍の温度が所定の温度より高くなったことを検出した場合に報知する報知手段をさらに備えたことを特徴とする、プロジェクター。
【請求項６】
光源から射出された光を画像情報に応じて変調し、投写光を投写する画像投写手段と、これらを収納する筐体と、
前記筐体の上部に備えられ前記投写光を投写する投写口と、
前記投写口に隣接して備えられたファン吹出口と、
前記筐体の内部を冷却、および前記ファン吹出口より前記筐体の上方に向けて送風するファンと、を備えたプロジェクターの制御方法であって、
前記投写口近傍の温度を検出する温度検出ステップと、
前記温度検出ステップの検出結果に基づき、前記ファンを回転させて、前記ファン吹出口より前記筐体の上方に向けて送風するファン制御ステップと、
を備えたことを特徴とする、プロジェクターの制御方法。
【発明の詳細な説明】
【技術分野】
【０００１】
本発明は、プロジェクター、及びプロジェクターの制御方法に関する。
【背景技術】
【０００２】
光源から射出された光を反射する反射鏡を備え、筐体上部の投写口から、画像を投写する短焦点形プロジェクターを机上に設置して使用する場合、投写口上に異物があると、筐体内部に熱がこもってしまい、故障する虞があった。
【０００３】
特許文献１には、投写口付近の異物をセンサーで検出して警告するプロジェクターが開示されている。このようなプロジェクターによれば、投写口付近に異物がある場合に警告し、投写を中止させることができる。
【０００４】
また、特許文献２には、反射鏡を振動させる振動装置や、反射鏡に送風するファンを備え、反射鏡上の塵埃を除去するプロジェクターが開示されている。このプロジェクターによれば、反射鏡上の塵埃や異物を除去することができる。
【先行技術文献】
【特許文献】
【０００５】
【特許文献１】特許３８８６５２１号公報
【特許文献２】特許４３９４４２０号公報
【発明の概要】
【発明が解決しようとする課題】
【０００６】
しかし、特許文献１のプロジェクターでは、プロジェクター上面を覆う紙が置かれた場合など、投写口付近のセンサーでは異物を検出できないことがあった。また、特許文献２のプロジェクターでは、異物を除去するための専用の振動装置やファンが必要になり、コストアップになってしまうという問題があった。
【課題を解決するための手段】
【０００７】
本発明は、上述の課題の少なくとも一部を解決するためになされたものであり、以下の形態または適用例として実現することが可能である。
【０００８】
［適用例１］本適用例に係るプロジェクターは、光源から射出された光を画像情報に応じて変調し、投写光を投写する画像投写手段と、これらを収納する筐体を有するプロジェクターであって、前記筐体の上面に備えられ前記投写光を投写する投写口と、前記投写口に隣接して備えられたファン吹出口と、回転することで、前記筐体の内部を冷却、および前記ファン吹出口より前記筐体の上方に向けて送風するファンと、前記投写口近傍の温度を検出する温度検出手段と、前記温度検出手段の検出結果に基づき、前記ファンを回転させて、前記ファン吹出口より前記筐体の上方に向けて送風する制御手段と、を備えたことを特徴とする。
【０００９】
本適用例によれば、投写口近傍の温度を検出する温度検出手段の検出結果に基づき、筐体の内部を冷却するファンを、投写口に隣接して備えられたファン吹出口より筐体の上方に向けて送風することにより、投写口付近の異物を除去する。これにより、専用の振動装置やファンを備えることなく異物を除去することができ、筐体の内部に熱がこもるのを防止することが可能となる。
【００１０】
［適用例２］上記適用例に記載のプロジェクターにおいて、前記制御手段は、前記温度検出手段の検出結果に基づき、前記光源の消灯または点灯を行う、ことを特徴とする。
【００１１】
本適用例によれば、投写口近傍の温度の検出結果に基づき、光源を消灯または点灯することが可能となる。
【００１２】
［適用例３］上記適用例に記載のプロジェクターにおいて、前記制御手段は、前記温度検出手段の検出結果に基づき、前記投写口近傍の温度が所定の温度より高くなったことを検出した場合に、前記光源を消灯するとともに、前記ファンをより高い回転数で回転させ、前記ファン吹出口より前記筐体の上方に向けて送風する、ことを特徴とする。
【００１３】
本適用例によれば、投写口近傍の温度が所定の温度より高くなったことを検出した場合に、光源を消灯し、ファンをより高い回転数で回転させ、筐体の上方に向けて送風するので、筐体の内部の温度上昇を抑えながら投写口上の異物をより効率的に除去することが可能となる。
【００１４】
［適用例４］上記適用例に記載のプロジェクターにおいて、前記制御手段は、前記温度検出手段の検出結果に基づき、前記投写口近傍の温度が所定の温度以下であることを検出した場合に、前記光源を点灯する、ことを特徴とする。
【００１５】
本適用例によれば、投写口近傍の温度が所定の温度以下に低下した場合、光源を点灯するので、例えば、投写口近傍の温度が上昇したことにより光源を消灯して中断したプレゼンテーションを、ユーザーの手を煩わせることなく、光源が再度点灯し再開することが可能となる。
【００１６】
［適用例５］上記適用例に記載のプロジェクターにおいて、前記温度検出手段の検出結果に基づき、前記投写口近傍の温度が所定の温度より高くなったことを検出した場合に報知する報知手段をさらに備えたことを特徴とする。
【００１７】
本適用例によれば、投写口近傍の温度が所定の温度より高くなった場合に報知する報知手段により、例えば、異物によって投写口がふさがれ、筐体内部の温度が上昇したことをユーザーに報知することが可能となる。
【００１８】
［適用例６］本適用例に係るプロジェクターの制御方法は、光源から射出された光を画像情報に応じて変調し、投写光を投写する画像投写手段と、これらを収納する筐体と、前記筐体の上部に備えられ前記投写光を投写する投写口と、前記投写口に隣接して備えられたファン吹出口と、前記筐体の内部を冷却、および前記ファン吹出口より前記筐体の上方に向けて送風するファンと、を備えたプロジェクターの制御方法であって、前記投写口近傍の温度を検出する温度検出ステップと、前記温度検出ステップの検出結果に基づき、前記ファンを回転させて、前記ファン吹出口より前記筐体の上方に向けて送風するファン制御ステップと、を備えたことを特徴とする。
【００１９】
本適用例によれば、投写口近傍の温度の検出結果に基づき、筐体の内部を冷却するファンを、投写口に隣接して備えられたファン吹出口より筐体の上方に向けて送風することにより、投写口付近の異物を除去する。これにより専用の装置を備えることなく異物を除去し、筐体の内部に熱がこもるのを防止することが可能となる。
【図面の簡単な説明】
【００２０】
【図１】プロジェクターの斜視図。
【図２】プロジェクターの側面図。
【図３】排気シャッターの開閉と排気ファンの送風状態を示す部分平面図であり、（ａ）は排気シャッターが開放、（ｂ）は排気シャッターが閉鎖しているときを示す。
【図４】プロジェクターの概略構成を示すブロック図。
【図５】プロジェクターが投写口温度を監視する定時タスクを実行するときの動作を示すフローチャート。
【発明を実施するための形態】
【００２１】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２２】
（第１実施形態）
図１は本実施形態のプロジェクターの斜視図である。図１に示すように、プロジェクター１は、上面２ｔ、左側面２Ｌを含む筐体２により、後述する画像投写手段などを収納している。
筐体２の上面２ｔには画像の投写光を投写する投写口５が備えられており、投写口５に隣接して、筐体２内から空気を排出するためのファン吹出口６と、投写口５近傍の温度を検出する温度検出手段２６が備えられている。
筐体２の左側面２Ｌには、筐体２の内部から空気を排出するための排気口３が形成されており、排気口３を開閉するルーバー状の排気シャッター４が備えられている。
【００２３】
図２はプロジェクター１の左側面図であり、筐体２の内部を左側面２Ｌより透視した状態を示す。図２に示すように、プロジェクター１には、光源１１と、液晶ライトバルブ１２と、反射鏡１３と、投写口５とを備え、光源１１から射出され、液晶ライトバルブ１２で変調・形成された画像光は反射鏡１３によって反射し、投写口５より筐体２の上方に向かって投写される。
【００２４】
図３は排気シャッター４の開閉と排気ファン７の送風状態を示す部分平面図であり、筐体２の上面２ｔから透視した状態を示す。
図３に示すように、排気シャッター４は、複数の羽板の延長方向を縦方向に有したルーバー状の排気口３を開閉可能に備えており、排気口３の近傍には、回転することで筐体の内部を冷却、および送風するファンとしての排気ファン７と、排気ファン７の風を筐体２の上面２ｔに備えたファン吹出口６へ導く送風ガイド６ａと、が形成されている。
図３（ａ）は排気シャッター４が開放されている状態を示す。このとき、排気シャッター４は羽板の平面を排気ファン７の送風方向と並行する角度にして、排気ファン７からの排気風を、排気口３を通過させて排出する。
図３（ｂ）は排気シャッター４が閉鎖されている状態を示す。このとき、排気シャッター４は、羽板の平面端部が、隣接する羽板の平面端部と接して重なる角度にすることで閉じられ、排気口３を排気シャッター４で閉塞するため、排気ファン７からの風は排気シャッター４に当たった後、送風ガイド６ａによって導かれ、ファン吹出口６から筐体２の上方に向かって排出される。
【００２５】
図４は、本実施形態のプロジェクター１の概略構成を示すブロック図である。
図４に示すように、プロジェクター１は、排気口３、ファン吹出口６、送風ガイド６ａ、排気シャッター４、排気ファン７、画像投写手段１０、ＯＳＤ処理手段１６、画像信号処理手段１７、画像信号入力手段１８、制御手段２０、記憶手段２１、入力操作手段２３、光源制御手段２５、温度検出手段２６、排気シャッター制御手段２７、ファン制御手段２８、電源端子３０、電源部３１、報知手段４０等で構成されており、これらは筐体２（図１）の内部に収容されている。
【００２６】
画像投写手段１０は、光源１１、光変調装置としての３つの液晶ライトバルブ１２Ｒ，１２Ｇ，１２Ｂ、投写光学系としての反射鏡１３、液晶駆動手段１４等を含んでいる。画像投写手段１０は、光源１１から射出された光を、液晶ライトバルブ１２Ｒ，１２Ｇ，１２Ｂで変調し、凹面状の反射鏡１３によって反射させて投写口５から投写することによってスクリーンＳＣ等に画像を表示する。
【００２７】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００２８】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、反射鏡１３によってスクリーンＳＣ等に拡大投写される。
【００２９】
本実施形態では、光源として光源ランプ１１ａを用いて投写するプロジェクター１を例示したが、本発明は、光源としてＬＥＤ（Light emitting diode）光源やレーザー光源などを用いて投写するプロジェクターにも適用することができる。
【００３０】
なお、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３１】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。制御手段２０は、時間を計測するタイマー２０ａを備える。
【００３２】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
【００３３】
入力操作手段２３は、ユーザーがプロジェクター１に対して各種指示を行うための複数の操作キーを備えている。入力操作手段２３が備える操作キーとしては、電源のオン・オフを交互に切り替えるための電源キーや、画像信号入力手段１８に入力される複数の画像入力端子を切り替えるための入力切替キー、各種設定を行うための設定メニューを重畳表示させるメニューキー、メニューからユーザーが設定項目を選択するカーソルキー、決定キー、エスケープキー等がある。
【００３４】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信部（図示せず）と遠隔操作が可能なリモートコントローラー（図示せず）を有した構成としてもよい。
この場合、リモートコントローラーは、ユーザーの操作内容に応じた赤外線等の操作信号を発し、リモコン信号受信手段がこれを受信して制御情報として制御手段２０に伝達する。
【００３５】
画像信号入力手段１８は、上述したように複数の画像入力端子を備えており、各画像入力端子より、ビデオ再生装置やパーソナルコンピューター等、外部機器から、図示しないケーブルを介して画像情報が入力される。また、画像信号入力手段１８は、図示しない無線信号受信手段により、外部機器と通信して画像情報を入力する構成としてもよい。
【００３６】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３７】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３８】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３９】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が反射鏡１３によって反射されて投写される。
【００４０】
光源制御手段２５は、制御手段２０の指示に基づいて、光源１１に対する電力の供給と停止とを制御し、光源１１の点灯、及び消灯を切り替える。
【００４１】
温度検出手段２６は、投写口５近傍の温度を検出し、その検出結果を制御手段２０に通知する。
【００４２】
ファン制御手段２８は、制御手段２０の指示に基づいて、筐体２内部の空気を排気口３、またはファン吹出口６より排出するための、排気ファン７の回転動作の開始、停止の制御を行う。
【００４３】
排気シャッター制御手段２７は、制御手段２０からの指示により、排気シャッター４の開閉を行う。排気シャッター４の開閉には、電磁方式やワイヤー巻き取り方式（いずれも図示せず）などが使われる。
【００４４】
報知手段４０は、ＬＥＤやブザーなどで構成され、投写口５近傍の温度が上昇していることを報知する。
【００４５】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。
また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４６】
次に、本実施形態のプロジェクター１の動作を図５のフローチャートを用いて説明する。図５はプロジェクター１が投写中に、定期的に投写口５近傍の温度を監視する定時タスクの動作を示すフローチャートである。
【００４７】
図５に示すように、投写口５近傍の温度を監視する定時タスクを実行開始すると（ステップＳ１０１）、制御手段２０は、温度検出手段２６により、投写口５近傍の温度を検出し（ステップＳ１０２）、ステップＳ１０３に遷移する。
【００４８】
ステップＳ１０３において、制御手段２０は、ステップＳ１０２において検出した温度（検出温度）が、所定の温度Ｌ１より高いか否かを調べる。検出温度が温度Ｌ１より高い場合（ステップＳ１０３：Ｙ）、ステップＳ１０４に遷移する。検出温度が温度Ｌ１以下の場合（ステップＳ１０３：Ｎ）、ステップＳ１２０に遷移する。なお、ステップＳ１０３が温度検出ステップに相当する。
【００４９】
ステップＳ１０４において制御手段２０は、報知手段４０のＬＥＤやブザーなどにより、投写口５近傍の温度が上昇していることを報知し、ステップＳ１０５に遷移する。
【００５０】
ステップＳ１０５において制御手段２０は、光源制御手段２５により光源１１を消灯させ、排気シャッター制御手段２７により、排気シャッター４を閉鎖させる。さらにファン制御手段２８により排気ファン７を通常状態より高い回転数で回転させる。排気シャッター４が閉鎖されたことにより、排気ファン７の風は送風ガイド６ａを通り、ファン吹出口６より排出される。次にステップＳ１０６に遷移する。
【００５１】
ステップＳ１０６において制御手段２０は、タイマー２０ａによる計時を開始し、ステップＳ１０７に遷移する。
【００５２】
ステップＳ１０７において制御手段２０は、温度検出手段２６より、投写口５近傍の温度を検出し、ステップＳ１０８に遷移する。
【００５３】
ステップＳ１０８において、制御手段２０は、ステップＳ１０７において検出した温度（検出温度）が、温度Ｌ１より高いか否かを調べる。検出温度が温度Ｌ１より高い場合（ステップＳ１０８：Ｙ）、ステップＳ１０９に遷移する。検出温度が温度Ｌ１以下の場合（ステップＳ１０８：Ｎ）、ステップＳ１１５に遷移する。
【００５４】
ステップＳ１０９において制御手段２０は、タイマー２０ａが所定の時間Ｔ１（例：６０秒）を経過したか否かを調べる。タイマー２０ａが時間Ｔ１を経過した場合（ステップＳ１０９：Ｙ）、ステップＳ１１０に遷移する。タイマー２０ａが時間Ｔ１を経過していない場合（ステップＳ１０９：Ｎ）、ステップＳ１０７に遷移する。
【００５５】
ステップＳ１１０において制御手段２０は、タイマー２０ａによる計時を停止し、ステップＳ１１１に遷移する。
【００５６】
ステップＳ１１１において制御手段２０は、ファン制御手段２８により排気ファン７を停止させ、ステップＳ１１２に遷移する。
【００５７】
ステップＳ１１２において制御手段２０はプロジェクター１の電源をオフしてスタンバイ状態に移行し、本動作フローを終了する。
ステップＳ１１０からステップＳ１１２では、排気ファン７を所定の時間Ｔ１を越えて回転し続けても投写口５近傍の温度が下がらない場合に、タイマー２０ａと排気ファン７を停止させ、プロジェクター１の電源をオフする処理を行う。
【００５８】
ステップＳ１１５において制御手段２０は、タイマー２０ａによる計時を停止し、ステップＳ１１６に遷移する。
【００５９】
ステップＳ１１６において制御手段２０は、報知手段４０による報知を終了し、ステップＳ１１７に遷移する。
【００６０】
ステップＳ１１７において制御手段２０は、光源制御手段２５により光源１１を点灯させ、排気シャッター制御手段２７により排気シャッター４を開放させる。さらにファン制御手段２８により排気ファン７を通常回転数で回転させる。排気シャッター４が開放されたことにより、排気ファン７の風は排気シャッター４を通過し、排気口３より排出される。次にステップＳ１２０に遷移する。
なお、ステップＳ１０３からステップＳ１１７までがファン制御ステップに相当する。
【００６１】
ステップＳ１２０において、本動作フロー（定時温度監視タスク）を終了する。
【００６２】
以上説明したように、本実施形態のプロジェクター１によれば、投写口５近傍の温度を検出する温度検出手段２６の検出温度に基づき、筐体２の内部を冷却する排気ファン７を、投写口５に隣接して備えられたファン吹出口６より筐体２の上方に向けて送風することにより、投写口５付近の異物を除去する。これにより、専用の振動装置やファンを備えることなく異物を除去することができ、筐体２の内部に熱がこもるのを防止することが可能となる。
【００６３】
また、投写口５近傍の温度が所定の温度より高くなったことを検出した場合に、光源１１を消灯し、排気ファン７をより高い回転数で回転させ、筐体２の上方に向けて送風するので、筐体２の内部の温度上昇を抑えながら投写口５上の異物をより効率的に除去することが可能となる。
【００６４】
また、投写口５近傍の温度が所定の温度以下に低下した場合、光源１１を点灯するので、投写口近傍の温度が上昇したことにより光源１１を消灯して中断したプレゼンテーションを、ユーザーの手を煩わせることなく、光源が再度点灯し再開することが可能となる
【００６５】
また、投写口５近傍の温度が所定の温度より高くなった場合に報知する報知手段４０により、例えば、異物によって投写口５がふさがれ、筐体内部の温度が上昇したことをユーザーに報知することが可能となる。
【００６６】
また、上記実施形態は、以下のように変更してもよい。
（変形例１）
上述した実施形態では、温度検出手段２６により、投写口５近傍の温度が上昇していることを検出した場合に、排気ファン７の風をファン吹出口６より排出し、異物を除去するようにしているが、プロジェクター１の電源オン直後、所定時間、排気ファン７の風をファン吹出口６より排出するような制御にしてもよい。
これにより、プロジェクター１を使用する前に投写口５上に異物があった場合に、温度が上昇するのを待たずに、異物を排除することが可能となる。
【符号の説明】
【００６７】
１…プロジェクター、２…筐体、３…排気口、４…排気シャッター、５…投写口、６…ファン吹出口、６ａ…送風ガイド、７…排気ファン、１０…画像投写手段、１１…光源、１２Ｒ，１２Ｇ，１２Ｂ…液晶ライトバルブ、１３…反射鏡、１４…液晶駆動手段、１６…ＯＳＤ処理手段、１７…画像信号処理手段、１８…画像信号入力手段、２０…制御手段、２１…記憶手段、２３…入力操作手段、２５…光源制御手段、２６…温度検出手段、２７…排気シャッター制御手段、２８…ファン制御手段、３０…電源端子、３１…電源部、４０…報知手段。
【図１】
2013148694.tif 000003
【図２】
2013148694.tif 000004
【図３】
2013148694.tif 000005
【図４】
2013148694.tif 000006
【図５】
2013148694.tif 000007